(57)【要約】      （修正有）【課題】簡単な構造であって無動力で飲料を一定量供給する液体供給機構を提供する。【解決手段】液体供給装置１００と液体を供給される容器とからなり、液体供給装置は、連通しており液体を収納する第一および第二の収納部１０，２０と、第一および第二の収納部との間の連通の開始および停止を行う第一の弁３０と、第二の収納部から外部への液体の流出の開始および停止を行う第二の弁４０と、第二の収納部から流出する液体を受け止める容器が置かれる受け台部５０と、第一および第二の弁を作動させる弁作動機構６０とを備える。また、弁作動機構は、受け台部に容器を置くことにより無動力で第一の弁を閉状態とするとともに第二の弁を開状態とし、受け台部から容器を離間させることにより無動力で第一の弁を開状態とするとともに第二の弁を閉状態とする。【選択図】図１
0003176754.tif 000002
【実用新案登録請求の範囲】
【請求項１】
液体供給装置と液体を供給される容器とからなる液体供給機構であって、
前記液体供給装置は、
連通しており液体を収納する第一および第二の収納部と、
前記第一および第二の収納部との間の連通の開始および停止を行う第一の弁と、
前記第二の収納部から外部への液体の流出の開始および停止を行う第二の弁と、
前記第二の収納部から流出する液体を受け止める前記容器が置かれる受け台部と、
前記第一および第二の弁を作動させる弁作動機構と
を備え、
前記弁作動機構は、前記受け台部に前記容器を置くことにより無動力で前記第一の弁を閉状態とするとともに前記第二の弁を開状態とし、前記受け台部から前記容器を離間させることにより無動力で前記第一の弁を開状態とするとともに前記第二の弁を閉状態とする、液体供給機構。
【請求項２】
前記第一の弁が開状態であるときは、前記第一の収納部から前記第二の収納部に重力によって液体が移動する、請求項１に記載されている液体供給機構。
【請求項３】
前記第二の弁が開状態であるときは、前記第二の収納部から外部へ重力によって液体が流出する、請求項１又は２に記載されている液体供給機構。
【請求項４】
前記弁作動機構は、前記第１の弁及び前記第二の弁を作動させる棒状部材を備えており、
前記棒状部材の一部は、保護筒内に収容されて前記第二の収納部の液体を収納する空間に存している、請求項１から３のいずれか一つに記載されている液体供給機構。
【請求項５】
前記弁作動機構は、前記受け台部の下に配置された容器対応部を備えており、
前記容器が前記受け台部に置かれると前記容器対応部が所定方向に移動し、前記容器対応部に連動して前記棒状部材が移動して前記第一の弁を閉状態とするとともに前記第二の弁を開状態とし、
前記容器が前記受け台部から離間されると前記所定方向とは反対側の方向に前記容器対応部が移動し、前記容器対応部に連動して前記棒状部材が移動して前記第一の弁を開状態とするとともに前記第二の弁を閉状態とする、請求項１から４のいずれか一つに記載されている液体供給機構。
【請求項６】
前記容器の底部分および前記容器対応部の一方には磁石が配置されており、もう一方には磁石或いは強磁性体が配置されている、請求項１から５のいずれか一つに記載されている液体供給機構。
【請求項７】
前記容器が前記受け台部に置かれると前記容器対応部が上方に移動し、前記容器対応部に連動して前記棒状部材が上方に移動して前記第一の弁を閉状態とするとともに前記第二の弁を開状態とし、
前記容器が前記受け台部から離間されると前記容器対応部が下方に移動し、前記容器対応部に連動して前記棒状部材が下方に移動して前記第一の弁を開状態とするとともに前記第二の弁を閉状態とする、請求項６に記載されている液体供給機構。
【考案の詳細な説明】
【技術分野】
【０００１】  本考案は液体供給機構に関する。
【背景技術】
【０００２】  お茶やジュース、コーヒーなどの飲料の自動供給装置の中には、ボタンを押すと一定量の飲料が流出して自動的に止まる装置が広く普及している。このような装置の一種に自動販売機があり、お金を入れて所望の飲料のボタンを押すと、コップが受け台に出てきてそのコップに一定量の飲料が注がれる（例えば、特許文献１）。あるいは、無料の飲料供給装置もあり、例えば受け台にコップをおいてボタンを押すと、一定量のお茶や水が注がれる装置がある。
【先行技術文献】
【特許文献】
【０００３】
【特許文献１】特開平５−８１５４３号公報
【考案の概要】
【考案が解決しようとする課題】
【０００４】  しかしながら、特許文献１に記載されたような装置では、飲料を一定量注ぐために電気を使用して機械を作動させている。このため、飲料を注ぐために外部からエネルギーを供給する必要があり、電気を使用した作動機構の分だけ装置自体も大型のものになってしまう。【０００５】  本考案は、かかる点に鑑みてなされたものであり、その目的とするところは簡単な構造であって無動力で飲料を一定量供給する液体供給機構を提供することにある。
【課題を解決するための手段】
【０００６】  本考案の飲料供給機構は、液体供給装置と液体を供給される容器とからなり、前記液体供給装置は、連通しており液体を収納する第一および第二の収納部と、前記第一および第二の収納部との間の連通の開始および停止を行う第一の弁と、前記第二の収納部から外部への液体の流出の開始および停止を行う第二の弁と、前記第二の収納部から流出する液体を受け止める前記容器が置かれる受け台部と、前記第一および第二の弁を作動させる弁作動機構とを備え、前記弁作動機構は、前記受け台部に前記容器を置くことにより無動力で前記第一の弁を閉状態とするとともに前記第二の弁を開状態とし、前記受け台部から前記容器を離間させることにより無動力で前記第一の弁を開状態とするとともに前記第二の弁を閉状態とする構成を有している。ここで「無動力で」というのは、液体供給機構を作動させるために外部からモーター等による動力を用いず、容器を置いたり離間させたりする動作によってのみ液体供給機構を作動させることを意味する。
【考案の効果】
【０００７】  本考案の液体供給機構は、無動力で容器に第二の収容部から液体を供給し、第二の収容部が空になると液体の供給が止まるので、簡単な構造で外部からエネルギーを供給することなく一定量の液体を供給することができる。
【図面の簡単な説明】
【０００８】
【図１】実施形態に係る液体供給装置を示す模式的な断面図である。
【図２】実施形態に係る液体供給機構を示す模式的な断面図である。
【図３】実施形態に係る液体供給機構の液体の移動を説明するための模式的な断面図である。
【図４】実施形態に係る液体供給機構の液体の移動を説明するための模式的な別の断面図である。
【考案を実施するための形態】
【０００９】  以下、本考案の実施形態を図面に基づいて詳細に説明する。以下の図面においては、説明の簡潔化のため、実質的に同一の機能を有する構成要素を同一の参照符号で示す。
【００１０】  （実施形態１）
図１、２に実施形態１の液体供給装置１００、容器２００及び液体供給機構の鉛直な断面図を示す。なお、図１は第一の弁３０が開状態であって、第一の収容部１０と第二の収容部２０との間の連通を開始させていて、両者の間で液体が流れることができるようにしている状態である。このとき第二の弁４０は閉状態であって第二の収容部２０から外部への液体の流出を停止している。図２は第一の弁３０が閉状態であって、第一の収容部１０と第二の収容部２０との間の連通を停止させていて、両者の間で液体が流れないようにしている状態である。このとき第二の弁４０は開状態であって第二の収容部２０から外部へ液体が流出できる。
【００１１】  この液体供給装置１００には、蓋１１により上部開口部が覆われた第一の収容部１０が最も上に存しており、その下に第二の収容部２０が存している。第二の収容部２０は略円筒形の脚部８１により支えられており、脚部８１は最下部の台部８２に接続されて支えられている。
【００１２】  第一の収容部１０及び第二の収容部２０は有底略円筒形であって、第一の収容部１０は内部の液体を収容する空間の容量が第二の収容部２０の容量の２倍以上である。第一の収容部１０と第二の収容部２０とは、第一の収容部１０の底面に設けられた第一の穴１３によって連通している。ただし、図２では、第一の弁３０が第一の穴１３を塞いでいる。さらに第一の収容部１０の底面を貫通する空気抜きパイプ１２が配置されている。空気抜きパイプ１２の下端は第二の収容部２０の液体を収容する空間の上端近辺に位置し、空気抜きパイプ１２の上端は第一の収容部１０の液体を収容する空間の上端近辺に位置している。また、第一の収容部１０の底部外面から下方に伸びる円筒状の第一接続部と第二の収容部２０の上部外面とがねじ込み式の接続によって液密に接続されている。
【００１３】  第二の収容部２０の底面には第二の穴２２が設けられており、液体は第二の穴２２から流出路２４を通って流出口２３から外部へ流出することができる。ただし、図１では第二の弁４０が第二の穴２２を塞いでいるため、この状態では液体が外部へは流出できない。第二の収容部２０内において、第一の穴１３と第二の穴２２とを円筒形のパイプ２５がつないでおり、パイプ２５の側面の最下部には第三の穴２１が設けられている。パイプ２５内には第一の弁３０及び第二の弁４０とを備えた弁部材３５が配置されている。
【００１４】  弁部材３５では、第一の穴１３の穴径よりも大きい径を有する円板状の第一の弁３０が上部に位置し、第二の穴２２の穴径よりも大きい径を有するドーナツ状の第二の弁４０が下部に位置し、第一の弁３０と第二の弁４０とを略円筒形の弁間接続部材３６が接続している構成を有している。第一の弁３０の径はパイプ２５の内径よりも小さく、弁間接続部材３６の外径は第一の弁３０の径及び第二の弁４０の径よりも小さい。また、第二の弁４０は常に、第三の穴２１の少なくとも一部がパイプ２５の内外を連通させている構成を有している。
【００１５】  弁間接続部材３６の筒内の空間には、弁作動機構６０の一部である棒状部材６１の上部が挿入されている。また、棒状部材６１は保護筒７０内に収容されていて、保護筒７０の上部が弁間接続部材３６の筒内部に挿入されている。保護筒７０の外径と弁間接続部材３６の筒内径とが略同じであり、これにより弁間接続部材３６の筒内に液体が入ってくることを防止している。
【００１６】  棒状部材６１と保護筒７０とは流出路２４の下面を貫通し、脚部８１内の空間を下方に伸びて台部８２まで達している。棒状部材６１はさらに台部８２の内部にまで伸びている。台部８２の内部は空洞７２になっており、その中に弁作動機構６０の結合部６５、棹部６６及び容器対応部６２が配置されている。これらの結合部６５、棹部６６及び容器対応部６２は一連に繋がっている。棒状部材６１は結合部６５に結合・固定されている。空洞７２上面からピン７４が下方に伸び、棹部６６に設けられた孔に挿通されている。このピン７４により弁作動機構６０の動きが上下方向のみに規制されている。
【００１７】  台部８２のうち、流出口２３の直下に当たる部分は容器２００を載せる受け台部５０である。また、受け台部５０の下に容器対応部６２が位置している。容器対応部６２には磁石６４が嵌め込まれている。また、容器２００の下部にも同様に磁石６３が嵌め込まれている。図１に示すように受け台部５０に容器２００が載せられていないときは、弁作動機構６０を構成している各部材は、その自重によって空洞７２の底面にまで下がっている。本実施形態では、棒状部材６１の下端が空洞７２の底面に接触して止まっている。
【００１８】  一方、図２に示すように受け台部５０に容器２００が載せられているときには、容器２００下部の磁石６３と容器対応部６２の磁石６４とが引き合って、容器対応部６２が引き上げられ、その結果、弁作動機構６０全体が引き上げられる。このとき、ピン７４により弁作動機構６０が水平方向に移動しないように動きが規制されるので、弁作動機構６０は上にのみ移動する。これにより、棒状部材６１の上端が弁間接続部材３６の天井部分に当たって上方へ押すため、棒状部材６１が弁部材３５を上方に移動させて第一の弁３０が第一の穴１３を塞ぎ、第二の弁４０が第二の穴２２を開くようにさせる。
【００１９】  また、図２に示す状態から、容器２００を受け台部５０から持ち上げると、２つの磁石６３，６４が引き離されることになるので、容器対応部６２が落下し、その結果、弁作動機構６０全体が引き下げられる。このとき、ピン７４により弁作動機構６０が水平方向に移動しないように動きが規制されるので、弁作動機構６０は下にのみ移動する。これにより、棒状部材６１が下がり弁部材３５も下方に移動するので、第一の弁３０は第一の穴１３を開き、第二の弁４０は第二の穴２２を塞ぐようになる。
【００２０】  −液体の移動−
図３，４を用いて、本実施形態の液体供給機構における液体の移動について説明する。
【００２１】  図３に示すように、まず、受け台部５０に容器２００が置かれていない状態で、液体供給装置１００の蓋１１を取り外して第一の収容部１０の上部開口部より液体９０を入れて蓋１１を閉じる。ここでは液体９０として飲料、例えばお茶やお酒とすることができる。このとき、第一の穴１３は第一の弁３０により塞がれてはいないので、第一の穴１３が第一の収容部１０と第二の収容部２０を連通させている。また、第二の弁４０が第二の穴２２を塞いでいるので、液体９０は第一の収容部１０から第二の収容部２０へと流れ込み、第二の収容部２０における液面が空気抜きパイプ１２の下端に達するまで流れ込み続け、達すると流れ込みが止まる。
【００２２】  次に、図３の状態の液体供給装置１００の受け台部５０の上に容器２００を置く。すると、図４に示すように、容器２００下部の磁石６３と容器対応部６２の磁石６４とが引き合って、容器対応部６２が引き上げられ、その結果、弁作動機構６０全体が引き上げられ、棒状部材６１が弁部材３５を上方に移動させて第一の弁３０が第一の穴１３を塞いで第一の収容部１０と第二の収容部２０との連通を停止させ、第二の弁４０が第二の穴２２を開く。この２つの弁３０，４０の作動により、第一の収容部１０から第二収容部２０への液体９０の移動が止められ、第二収容部２０から流出路２４への液体９０の流出が開始される。液体９０は流出口２３から容器２００に注がれる。第二の収容部２０内部の液体９０が全て容器２００に注がれると、第一の穴１３が第一の弁３０により塞がれているので、液体９０の流出は止まる。従って、第二の収容部２０内部の容量分だけが容器２００に注がれる。つまり、本実施形態の液体供給機構では、容器２００を受け台部５０に置くことにより一定量の液体９０が容器２００に注がれる。
【００２３】  この後、液体９０が入った容器２００を受け台部５０から取り去ると、容器２００下部の磁石６３と容器対応部６２の磁石６４とが引き離され、既に説明したように弁作動機構６０が作動して第一の弁３０が第一の穴１３を開き、第二の弁４０が第二の穴２２を塞ぐようになる。従って、空になっている第二の収容部２０に第一の収容部１０から再び液体９０が流入していく。
【００２４】  本実施形態の液体供給機構は、電力等の外部からのエネルギーがなくても、即ち無動力で受け台部５０に容器２００を置くことにより、容器２００に一定の量の液体９０を入れることができる。この一定量の液体９０の量は、第二の収容部２０の容量による。また、容器２００を受け台部５０から取り去ると、次の液体供給に備えて第二の収容部２０に一定量の液体９０を入れて保持する。また構造が非常に簡単であるので、故障しにくく、全体を小型にすることができる。
【００２５】  パイプ２５が第二の収容部２０の内部に設置されており、第三の穴２１が設けられているので、第二の収容部２０内の液体９０が第三の穴２１を通って流出し、流出スピードが遅くなり、容器２００に液体９０がゆっくりと注がれるため、容器２００から液体９０が飛び散ることが防止される。
【００２６】  第二の収容部２０の内部において液体９０の流路に配置された棒状部材６１は保護筒７０内に収容されているため、第二の収容部２０と脚部８１との間で液体９０が漏れないように密閉を保つことができる。
【００２７】  第一の収容部１０と第二の収容部２０とがねじ込み式で連結されており、第一の収容部１０を取り外せば第二の収容部２０の内部を容易に洗浄することができる。従って、液体供給装置１００の内部を清浄な状態に保つことができる。
【００２８】  （その他の実施形態）
上記の実施形態は本考案の一つの例であり、本考案は上記実施形態に限定されることはない。各部の形状や素材などは、特に限定されず、どのようなものであってもよい。一対の磁石６３，６４のうち一方を強磁性体に変更してもよい。また、液体の種類はどのようなものであってもよく、例えば液体として灯油、容器として石油ストーブの灯油タンクを用いてもよい。弁作動機構６０は容器２００の重みにより作動する機構であってもよく、このような場合はテコの原理を用いた機構としてもよい。
【符号の説明】
【００２９】１０          第一の収納部
２０          第二の収容部
３０          第一の弁
４０          第二の弁
５０          受け台部
６０          弁作動機構
６１          棒状部材
６２          容器対応部
７０          保護筒
１００        液体供給装置
２００        容器
【図１】
0003176754.tif 000003
【図２】
0003176754.tif 000004
【図３】
0003176754.tif 000005
【図４】
0003176754.tif 000006